【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
表示装置を駆動するドライバ回路に入力される画像信号の第１ビット数が、出力される階調データの第２ビット数のより多い場合に、前記表示装置に前記第１ビット数の階調を表示させる表示方法であって、
各階調間に、第１フレーム数を１組としてフレームレートコントロールを行い擬似階調を追加する第１擬似階調表示ステップと、
前記第１フレーム数と異なる第２フレーム数を１組としてフレームレートコントロールを行い、前記第１擬似階調表示ステップを行った階調間の少なくとも１つに擬似階調を追加する第２擬似階調表示ステップとを備える表示方法。
【請求項２】
請求項１に記載の表示方法であって、
前記第１擬似階調表示ステップ及び前記第２擬似階調表示ステップで追加する擬似階調数では、前記第１ビット数の階調を表示できない場合に、前記第１フレーム数及び前記第２フレーム数と異なる第３フレーム数を１組としてフレームレートコントロールを行う擬似階調を、前記第１ビット数の階調に至るまで順次追加する擬似階調追加ステップをさらに備える表示方法。
【請求項３】
請求項１又は請求項２に記載の表示方法であって、
前記第１フレーム数は、前記第１ビット数と前記第２ビット数との差で２をべき乗した値であることを特徴とする表示方法。
【請求項４】
請求項１乃至請求項３のいずれか１つに記載の表示方法であって、
前記第２フレーム数は、前記第１ビット数と前記第２ビット数との差で２をべき乗した値より小さい自然数であることを特徴とする表示方法。
【請求項５】
請求項１又は請求項２に記載の表示方法であって、
前記第１フレーム数を２とし、前記第２フレーム数を３とすることを特徴とする表示方法。
【請求項６】
請求項２に記載の表示方法であって、
前記第１フレーム数を２とし、前記第２フレーム数を３とし、前記第３フレーム数を４以上の自然数として前記第１ビット数の階調に至るまで当該前記第３フレーム数を順次繰り上げることを特徴とする表示方法。
【請求項７】
表示装置を駆動するドライバ回路に入力される画像信号の第１ビット数が、出力される階調データの第２ビット数のより多い場合に、前記表示装置に前記第１ビット数の階調を表示させる表示方法であって、
隣接する階調間において、第１フレーム数を１組としてフレームレートコントロールを行い擬似階調を追加する第１擬似階調表示ステップと、
１階調分隔てた２階調間において、第２フレーム数を１組としてフレームレートコントロールを行い擬似階調を追加する第２擬似階調表示ステップとを備える表示方法。
【請求項８】
請求項７に記載の表示方法であって、
前記第１擬似階調表示ステップの前記第１フレーム数と、前記第２擬似階調表示ステップの前記第２フレーム数とが異なることを特徴とする表示方法。
【請求項９】
請求項７に記載の表示方法であって、
前記第１擬似階調表示ステップ及び前記第２擬似階調表示ステップで追加する擬似階調数では、前記第１ビット数の階調を表示できない場合に、前記第１及び第２フレーム数を順次繰り上げて前記第１擬似階調表示ステップ及び前記第２擬似階調表示ステップを繰り返し実行し、前記第１ビット数の階調に至るまで擬似階調を順次追加する擬似階調追加ステップをさらに備える表示方法。
【請求項１０】
請求項７乃至請求項９のいずれか１つに記載の表示方法であって、
前記第２擬似階調表示ステップは、階調−輝度特性曲線が非線形となる階調領域に適用することを特徴とする表示方法。
【請求項１１】
請求項１乃至請求項１０のいずれか１つに記載の表示方法を用いて、第１ビット数の階調データを表示することを特徴とする表示装置。
【手続補正２】
【補正対象書類名】明細書
【補正対象項目名】０００６
【補正方法】変更
【補正の内容】
【０００６】
しかし、ｊビットの入力画像信号をｉビット（ｉ＜ｊ）出力可能なデータドライバＩＣで表示させる場合、ＦＲＣ方式を表示装置に用いたとしても表現できる階調数が不足する問題があった。具体的に説明すると、ｉビットの各階調間に２＾（ｊ−ｉ）フレームを１組として｛２＾（ｊ−ｉ）−１｝個の擬似階調をＦＲＣ方式で作成した場合、表示装置において出力可能な階調数は、｛２＾ｊ−２＾（ｊ−ｉ）＋１｝個となる。しかし、表示しようとする入力画像信号の階調数（２＾ｊ）に対し、２＾（ｊ−ｉ）−１階調分が不足する。不足する階調分は、表示画像として、いわゆる「階調つぶれ」となる。
【手続補正３】
【補正対象書類名】明細書
【補正対象項目名】０００７
【補正方法】変更
【補正の内容】
【０００７】
階調つぶれを解消し、不足する階調分を得るためには、ある階調Ｇｒと階調Ｇｒ＋１との間においてのみ、２＾（ｊ−ｉ）フレームと異なるフレーム数でフレームレートコントロール（ＦＲＣ）を行う必要がある。具体的には、２＾（ｊ−ｉ）フレーム数と、不足している階調数と同数のフレーム数｛２＾（ｊ−ｉ）−１｝との合計である｛２＾（ｊ−ｉ＋１）−１｝個のフレーム数を１組として、｛２＾（ｊ−ｉ＋１）−１｝−１個の擬似階調を作成し、不足階調を補う方法がある。
【手続補正４】
【補正対象書類名】明細書
【補正対象項目名】００２７
【補正方法】変更
【補正の内容】
【００２７】
つまり、表３では、データドライバＩＣ２の６２階調と６３階調の間に、６階調分の擬似階調を追加し、合計で（６４−２）×４＋７＋１＝２５６階調を得ている。ここで、７フレームを１単位としたが、信号処理回路１のアルゴリズムの簡便性から８フレームを１単位として作成された７階調の擬似階調うち、６階調を用いる構成でも良い。
【手続補正５】
【補正対象書類名】明細書
【補正対象項目名】００３０
【補正方法】変更
【補正の内容】
【００３０】
次に、画像信号の階調数２＾ｊに対して、不足する階調数｛２＾（ｊ−ｉ）−１｝について、階調Ｇｐと階調Ｇｐ＋１の間に、３フレームを１組としてＦＲＣを行い擬似階調｛Ｇｐ×２／３＋（Ｇｐ＋１）×１／３｝、｛Ｇｐ×１／３＋（Ｇｐ＋１）×２／３｝を作成する（ステップＳ２）。つまり、本実施の形態に係る表示方法では、４フレームを１組としてＦＲＣを行った擬似階調と、３フレームを１組としてＦＲＣを行った擬似階調とがある階調間に共存することになる。
【手続補正６】
【補正対象書類名】明細書
【補正対象項目名】００５２
【補正方法】変更
【補正の内容】
【００５２】
さらに、図６には、階調Ｇｐ−１と階調Ｇｐ＋１との間に２フレームを１組としてＦＲＣを行い作成した擬似階調Ｇｃが図示されているが、その図示される位置は、擬似階調Ｇｃの輝度レベル（｛（Ｌｐ−１）＋（Ｌｐ＋１）｝／２）と、他の擬似階調Ｇａ１，Ｇａ２，Ｇａ３，Ｇｂ１，Ｇｂ２，Ｇｂ３の輝度レベルとを比較して決められる。図６の例では、輝度レベルの大きさが階調Ｇｐ＜擬似階調Ｇｃ＜擬似階調Ｇｂ１となるため、擬似階調Ｇｃが階調Ｇｐと擬似階調Ｇｂ１との間に図示されることになる。
【手続補正７】
【補正対象書類名】明細書
【補正対象項目名】００５５
【補正方法】変更
【補正の内容】
【００５５】
【表６】
2008122635.tif 000001
【手続補正８】
【補正対象書類名】明細書
【補正対象項目名】００６５
【補正方法】変更
【補正の内容】
【００６５】
次に、ステップＳ１４では、ステップＳ１０，ステップＳ１１及びステップＳ１３で追加した擬似階調とｉビットの階調数とを合わせた合計階調数が、画像信号の階調数２＾ｊを満たしているか否かを判断する。そして、ステップＳ１４において、合計階調数が、画像信号の階調数２＾ｊを満たしている場合は擬似階調の設定を終了し、満たしていない場合はステップＳ１５に進む。